(57)【要約】【課題】建物の１階部分の外壁内における結露の発生を防止できる建物の構造を提供すること。【解決手段】建物１０の構造は、外壁２０で囲まれた箱状の建物本体１２と、この建物本体１２の下に設けられた基礎１１と、建物本体１２の上に設けられた１階屋根１３１および２階屋根１３２とを備え、建物本体１２の下側に基礎１１で囲まれて形成された床下空間１５と、建物本体１２の上側に各階屋根１３で囲まれて形成された１階小屋裏空間１６１および２階小屋裏空間１６２とを有し、外壁２０の内部に上下方向に延びて形成されて床下空間１５および小屋裏空間１６１，１６２に連通する空気流通路２１と、建物本体１２内部に設けられて床下空間１５と２階小屋裏空間１６２とを連通する連通管１８と、空気流通路２１、各階小屋裏空間１６１，１６２、連通管１８、および床下空間１５を通して空気を循環させる送風機１９とを備えている。【選択図】　　　　　　図１
2004019264.tif 000002
【特許請求の範囲】
【請求項１】
外壁で囲まれた箱状の建物本体と、この建物本体の下に外壁に沿って設けられた基礎と、前記建物本体の上に設けられた屋根とを備えた建物の構造であって、
前記建物本体の下側に前記基礎で囲まれて形成された床下空間と、前記建物本体の上側に前記屋根で囲まれて形成された小屋裏空間とを有し、
前記外壁の内部に上下方向に延びて形成されて前記床下空間および前記小屋裏空間に連通する空気流通路と、
前記建物本体内部に設けられて前記床下空間と前記小屋裏空間とを連通する連通管と、
前記空気流通路、前記小屋裏空間、前記連通管、および前記床下空間を通して空気を循環させる循環装置とを備えていることを特徴とする建物の構造。
【請求項２】
請求項１に記載の建物の構造において、
前記循環装置は、前記空気流通路内の空気を上昇させることにより循環させることを特徴とする建物の構造。
【請求項３】
請求項１または２に記載の建物の構造において、
前記外壁は、略鉛直方向および略水平方向に延びる芯材と、これら芯材の屋外側に設けられた外側面材と、前記芯材の屋内側に設けられた内側面材とを備え、
前記外側面材および前記内側面材のうち少なくとも一方と前記芯材との間には、略鉛直方向に延びる縦胴縁が介装されていることを特徴とする建物の構造。
【請求項４】
請求項３に記載の建物の構造において、
前記外壁は、前記外側面材の内側に設けられた断熱材を備え、
前記縦胴縁は、前記内側面材と前記芯材との間に介装されていることを特徴とする建物の構造。
【発明の詳細な説明】
【０００１】
【発明の属する技術分野】
本発明は、例えば、外壁で囲まれた箱状の建物本体と、この建物本体の下に外壁に沿って設けられた基礎と、前記建物本体の上に設けられた屋根とを備えた建物の構造に関する。
【０００２】
【背景技術】
従来、住宅やビル等の建物では、屋内と屋外との気温差が大きい場合、外壁内部や外壁の室内側壁面に結露が生じることが知られている。
例えば冬季では、外気温は低くても、室内気温は暖房器具等で居住者にとって快適な温度に保たれており、屋内外の気温差が大きくなる。この場合、屋外の冷たい空気によって外壁が冷却され、外壁の室内側壁面も冷たくなる。すると、室内の暖かい空気は、外壁の室内側壁面に接触し、冷却されて露点温度以下となる。その結果、室内の暖かい空気に含まれている水蒸気が凝結して水滴となり、結露が発生する。
このような結露が発生すると、土台等の木材に腐食やカビが発生する場合があった。
【０００３】
そこで、結露の発生を防止するため、以下のような建物の外壁の構造がある。
例えば、外壁は、略鉛直方向および略水平方向に延びる芯材と、芯材の屋外側に設けられた外側面材と、芯材の屋内側に設けられた内側面材と、外側面材の内側に張り付けられた断熱材としてのロックウール材とを備えている。ロックウールと内側面材との間の空間は、通気層とされている。
この構成によれば、ロックウール材および通気層によって断熱性を向上できるから、屋内外の気温差が大きい場合でも、外壁の室内側壁面、つまり内側面材が冷たくなることはなく、室内に結露が生じない。
【０００４】
【発明が解決しようとする課題】
ところで、地表付近では、地中の水分が蒸発することにより大量の水蒸気が発生している。そのため、床下空間や建物の１階部分等の建物の下部にある空気は、建物の２階部分や小屋裏等の建物の上部にある空気に比べて、多くの水蒸気を含んでいる。したがって、建物の１階部分の外壁の通気層では、結露が発生しやすかった。
【０００５】
本発明の目的は、建物下部の外壁内で結露が発生するのを防止できる建物の構造を提供することにある。
【０００６】
【課題を解決するための手段】
上記目的を達成するため、本発明の建物の構造は、次の構成を採用する。
請求項１に記載の建物の構造は、外壁で囲まれた箱状の建物本体と、この建物本体の下に外壁に沿って設けられた基礎と、前記建物本体の上に設けられた屋根とを備えた建物の構造であって、前記建物本体の下側に前記基礎で囲まれて形成された床下空間と、前記建物本体の上側に前記屋根で囲まれて形成された小屋裏空間とを有し、前記外壁の内部に上下方向に延びて形成されて前記床下空間および前記小屋裏空間に連通する空気流通路と、前記建物本体内部に設けられて前記床下空間と前記小屋裏空間とを連通する連通管と、前記空気流通路、前記小屋裏空間、前記連通管、および前記床下空間を通して空気を循環させる循環装置とを備えていることを特徴とする。
【０００７】
地表付近では、地中の水分が蒸発して多量の水蒸気が発生するため、床下空間や建物の１階部分等の建物の下部にある空気は、水蒸気を多く含むことになる。一方、小屋裏空間や建物の２階部分等の建物の上部にある空気は、水蒸気をあまり含んでいない。しかも、水蒸気を多く含む空気は、水蒸気をあまり含んでない空気に比べ比重が大きいため、建物下部の空気が建物上部に自然に移動することはない。
【０００８】
この発明によれば、外壁内部に空気流通路を設けたので、断熱性を向上できるから、屋内外の気温差が大きい場合でも、外壁の室内側壁面、つまり内側面材が冷却されるのを防止でき、室内に結露が生じない。
このとき、循環装置を作動させることにより、空気流通路、小屋裏空間、連通管、および床下空間を通って空気が循環する。これにより、水蒸気を多く含む空気と、水蒸気をあまり含んでいない空気とが混合して、空気流通路内の空気中の水蒸気量が均一化される。よって、建物下部の外壁内で結露が発生するのを防止できる。
【０００９】
請求項２に記載の建物の構造は、請求項１に記載の建物の構造において、前記循環装置は、前記空気流通路内の空気を上昇させることにより循環させることを特徴とする。
この発明によれば、空気流通路の空気を上昇させることにより循環させたので、建物の下部の水蒸気を多く含む空気と建物の上部の水蒸気を余り含んでいない空気との混合を迅速に行うことができる。
【００１０】
請求項３に記載の建物の構造は、請求項１または２に記載の建物の構造において、前記外壁は、略鉛直方向および略水平方向に延びる芯材と、これら芯材の屋外側に設けられた外側面材と、前記芯材の屋内側に設けられた内側面材とを備え、前記外側面材および前記内側面材のうち少なくとも一方と前記芯材との間には、略鉛直方向に延びる縦胴縁が介装されていることを特徴とする。
【００１１】
従来の外壁では、通気層を形成しても、この通気層が略水平方向に延びる芯材で上下に仕切られていた。そのため、通気層内の空気が上下方向に移動することはなかった。
この発明によれば、外側面材や内側面材と芯材との間に縦胴縁を介装したので、外側面材や内側面材と略水平方向に延びる芯材との間に縦胴縁の厚み分の隙間が形成される。この隙間を通して通気層が上下方向に連続するから、空気流通路を容易に形成でき、建物の製造コストを低減できる。
【００１２】
請求項４に記載の建物の構造は、請求項３に記載の建物の構造において、前記外壁は、前記外側面材の内側に設けられた断熱材を備え、前記縦胴縁は、前記内側面材と前記芯材との間に介装されていることを特徴とする。
この発明によれば、外壁を、外側面材、断熱材、空気流通路、内側面材の順に構成したので、外断熱構造になるから、つまり、断熱材で空気流通路を通る空気が冷却されるのを防止できるから、より確実に結露の発生を防止できる。
【００１３】
【発明の実施の形態】
以下、本発明の実施形態を図面に基づいて説明する。
図１には、本実施形態に係る建物の構造が適用された建物１０の概略断面図が示されている。この建物１０は、外壁２０で囲まれた箱状の建物本体１２と、この建物本体１２の下に外壁２０に沿って設けられた基礎１１と、建物本体１２の上に設けられた屋根１３とを備えている。
【００１４】
屋根１３は、１階屋根１３１と２階屋根１３２とを含んで構成されている。建物本体１２の上側には、各階屋根１３１，１３２で囲まれて１階小屋裏空間１６１および２階小屋裏空間１６２が形成されている。
外壁２０は、基礎１１から２階屋根１３２まで連続する外壁２０Ａ（図１中右側）と、基礎１１から１階屋根１３１まで延びる外壁２０Ｂ（図１中左下側）と、１階屋根１３１から２階屋根１３２まで延びる外壁２０Ｃ（図１中左上側）とを含んで構成されている。
建物本体１２の下側には、基礎１１で囲まれて床下空間１５が形成されている。
【００１５】
外壁２０Ａの内部には、上下方向に延びて形成されて床下空間１５および２階小屋裏空間１６２に連通する空気流通路２１が形成されている。
外壁２０Ｂ，２０Ｃの内部には、上下方向に延びて形成されて、１階小屋裏空間１６１を通って床下空間１５および２階小屋裏空間１６２に連通する空気流通路２１が形成されている。
【００１６】
建物本体１２内部には、床下空間１５と２階小屋裏空間１６２とを連通する連通管と、各階小屋裏空間１６１，１６２、連通管１８、床下空間１５、および外壁２０の空気流通路２１を通して空気を循環させる循環装置としての送風機１９とが設けられている。
送風機１９は、２階小屋裏空間１６２の連通管１８の上端近傍に配置されており、空気流通路２１内の空気を上昇させることにより循環させる。空気流通路２１を通る空気の経路は、図１中実線矢印で示されている。
【００１７】
また、外壁２０の内部でかつ空気流通路２１より屋外側には、上下方向に延びて形成され屋外に連通する通気層２２が形成されている。この通気層２２を通る空気は、空気流通路２１を通る空気と混合しないようになっている。通気層２２を通る空気の経路は、図１中１点鎖線で示されている。
【００１８】
建物本体１２の１階部分および２階部分には、屋外の空気を屋内に取り入れる吸気口１２１と、屋内の空気を屋外に排出する排気口１２２とが設けられている。これら吸気口１２１および排気口１２２によって屋内の空気が換気されている。屋内を通る空気の経路は、図１中２点鎖線で示されている。
【００１９】
図２には、建物１０の拡大断面図が示されている。
すなわち、建物１０の建物本体１２には、外壁２０Ｂ，２０Ｃのほか、１階床３０、１階天井４０、２階床５０が設けられている。
【００２０】
外壁２０Ｂは、略鉛直方向および略水平方向に延びる芯材２３と、これら芯材２３の屋外側に設けられた外側面材２４と、芯材２３の屋内側に設けられた内側面材２５と、内側面材２５と芯材２３との間に介装された略鉛直方向に延びる縦胴縁２６と、外側面材２４の内側に設けられたロックウール等の断熱材２７とを備えている。
ここで、略鉛直方向に延びる芯材２３とは、１階柱２３４であり、略水平方向に延びる芯材２３とは、土台２３１および２階桁２３３である。したがって、縦胴縁２６は、１階柱２３４に取り付けられている。
空気流通路２１は、内側面材２５、縦胴縁２６、および断熱材２７で囲まれて形成されている。
なお、外壁２０Ｃは、外壁２０Ｂと同様の構成であるが、芯材２３とは、２階梁２３２および２階柱２３５のほか、図示しない２階桁である。外壁２０Ａも、外壁２０Ｂと同様の構成である。
【００２１】
さらに、外壁２０Ｂは、外側面材２４の表面に設けられ略鉛直方向に延びる外部縦胴縁２８と、この外部縦胴縁２８の表面に設けられた外装材２９とを備えている。通気層２２は、外側面材２４、外部縦胴縁２８、および外装材２９で囲まれて形成されている。
なお、外壁２０Ａ，２０Ｃも、外壁２０Ｂと同様の構成である。
【００２２】
１階床３０は、所定間隔おきに配置された大引３１と、この大引３１上でかつ大引３１に交差する方向に所定間隔おきに配置された根太３２と、この根太３２の上面に設けられた床面材３３とを備えている。
床下空間１５は、基礎１１と１階床３０の床面材３３に囲まれて形成されている。
【００２３】
１階天井４０は、２階梁２３２に支持されて所定間隔おきに配置された野縁４１と、この野縁４１の下面に設けられた天井面材４２とを備えている。
２階床５０は、２階梁２３２の上面に設けられた床面材５１を備えている。
１階天井４０の天井面材４２、２階床５０の床面材５１、および２階梁２３２で囲まれた空間は、１階天井裏空間４３とされている。
【００２４】
１階屋根１３１は、２階桁２３３および図示しない母屋に架け渡された垂木６１と、この垂木６１の表面に設けられた野地板６２と、この野地板６２の表面に所定間隔おきに取り付けられた支持部材６３と、この支持部材６３の表面に設けられた屋根仕上材６４とを備えている。野地板６２、支持部材６３、および屋根仕上材６４で囲まれた空間は、通気層６５とされている。
【００２５】
１階屋根１３１の軒先側には、外壁２０Ｂとの間に軒天井６６が設けられている。軒天井６６、２階桁２３３、および屋根仕上材６４で囲まれた空間は、１階軒天井空間１７１とされている。１階軒天井空間１７１は、直接屋外空間に連通するとともに、通気層６５にも連通している。
なお、２階屋根１３２も、１階屋根１３１と同様の構成である。２階屋根１３２の通気層６５は、棟部分で屋外空間に連通している。
【００２６】
１階小屋裏空間１６１は、１階天井４０の天井面材４２、１階屋根１３１の野地板６２、２階梁２３２、および２階桁２３３に囲まれて形成されている。
なお２階小屋裏空間１６２は、図示しないが、１階小屋裏空間１６１と同様の構成である。
【００２７】
外壁２０Ｂと１階床３０との納まりについて、図３を参照しながら説明する。
外壁２０Ｂは、基礎１１の上に配置されている。
１階床３０の大引３１は、外壁２０Ｂの下側の土台２３１と同じ高さとされており、また、１階床３０の床面材３３の上に外壁２０Ｂの縦胴縁２６および内側面材２５が当接している。これにより、１階床３０の床面材３３と外壁２０Ｂの土台２３１との間に隙間Ｄが形成され、この隙間Ｄを通して床下空間１５と空気流通路２１とが連通している。
なお、外壁２０Ａと１階床３０との納まりも、外壁２０Ｂと１階床３０との納まりと同様である。
【００２８】
図２に戻って、外壁２０Ｂと１階天井４０との納まりについて説明する。
縦胴縁２６が内側面材２５と１階柱２３４との間に介装されているので、２階桁２３３と内側面材２５との間には、隙間Ｑが形成されている。一方、１階天井４０の天井面材４２は、外壁２０Ｂの内側面材２５の側面に当接している。したがって、隙間Ｑを通して外壁２０Ｂの空気流通路２１の上端と１階小屋裏空間１６１とが連通している。
なお、図示しないが、外壁２０Ａと１階天井４０との納まりも同様である。
【００２９】
外壁２０Ｃと２階床５０との納まりについて、図４を参照しながら説明する。外壁２０Ｃの縦胴縁２６および内側面材２５は、２階床５０の床面材５１の上に配置されている。また、床面材５１のうち内側面材２５よりも２階梁２３２側には、切欠きＲが形成され、この切欠きＲを通して、外壁２０Ｃの空気流通路２１と１階天井裏空間４３とが連通している。
【００３０】
図２に戻って、２階梁２３２と１階天井４０との納まりについて説明する。
１階天井４０の天井面材４２と２階梁２３２の下面との間には、隙間Ｓが形成され、この隙間Ｓを通して、１階小屋裏空間１６１と１階天井裏空間４３とが連通している。
【００３１】
次に、外壁２０Ａ〜２０Ｃの空気流通路２１内の空気の動きについて説明する。
送風機１９を作動させると、建物１０の図１中左側では、図１中実線で示すように、連通管１８、床下空間１５、外壁２０Ｂの空気流通路２１、１階小屋裏空間１６１、１階天井裏空間４３、外壁２０Ｃの空気流通路２１、および２階小屋裏空間１６２を通して空気が循環する。
一方、建物１０の図１中右側では、図１中実線で示すように、連通管１８、床下空間１５、外壁２０Ａの空気流通路２１、および２階小屋裏空間１６２を通して空気が循環する。
【００３２】
次に、外壁２０Ａ〜２０Ｃの通気層２２内の空気の動きについて説明する。
外壁２０Ｂでは、通気層２２の下端は屋外空間に連通し、通気層２２の上端は１階軒天井空間１７１に連通している。
外壁２０Ｃでは、図示しないが、通気層２２の下端は１階屋根１３１の通気層６５に連通し、通気層２２の上端は２階軒天井空間に連通している。
したがって、図１中１点鎖線で示すように、屋外空間から外壁２０Ｂの通気層２２の下端に入った空気は、１階軒天井空間１７１に入る。この１階軒天井空間１７１に入った空気は、直接屋外空間に抜けるか、または、１階屋根１３１の通気層６５、外壁２０Ｃの通気層２２を通って、２階軒天井空間に入る。２階軒天井空間に入った空気は、直接屋外空間に抜けるか、または、２階屋根１３２の通気層６５を通って、棟部分から屋外空間に抜ける。
【００３３】
一方、外壁２０Ａでは、通気層２２の下端は屋外空間に連通し、通気層２２の上端は２階軒天井空間に連通している。
したがって、図１中１点鎖線で示すように、屋外空間から外壁２０Ａの通気層２２の下端に入った空気は、２階軒天井空間に入る。２階軒天井空間に入った空気は、直接屋外空間に抜けるか、または、２階屋根１３２の通気層６５を通って、棟部分から屋外空間に抜ける。
【００３４】
したがって、本実施形態によれば以下の効果がある。
（１）外壁２０内部に空気流通路２１を設けたので、断熱性を向上できるから、屋内外の気温差が大きい場合でも、外壁２０の室内側壁面、つまり内側面材２５が冷却されるのを防止でき、室内に結露が生じない。
このとき、送風機１９を作動させることにより、建物１０の図１中左側では、連通管１８、床下空間１５、外壁２０Ｂの空気流通路２１、１階小屋裏空間１６１、１階天井裏空間４３、外壁２０Ｃの空気流通路２１、および２階小屋裏空間１６２を通して空気が循環する。一方、建物１０の図１中右側では、連通管１８、床下空間１５、外壁２０Ａの空気流通路２１、および２階小屋裏空間１６２を通して空気が循環する。これにより、水蒸気を多く含む空気と、水蒸気をあまり含んでいない空気とが混合して、空気流通路内の空気中の水蒸気量が均一化される。よって、建物１０の１階部分の外壁２０Ａ，２０Ｂ内で結露が発生するのを防止できる。
【００３５】
（２）空気流通路２１の空気を上昇させることにより循環させたので、建物１０の１階部分の水蒸気を多く含む空気と建物１０の２階部分の水蒸気を余り含んでいない空気との混合を迅速に行うことができる。
【００３６】
（３）内側面材２５と１階柱２３４との間に縦胴縁２６を介装したので、内側面材２５と略水平方向に延びる２階桁２３３との間に縦胴縁２６の厚み分の隙間Ｑが形成される。この隙間Ｑを通して通気層が上下方向に連続するから、空気流通路２１を容易に形成でき、建物１０の製造コストを低減できる。
【００３７】
（４）外壁２０を、外側面材２４、断熱材２７、空気流通路２１、内側面材２５の順に構成したので、外断熱構造になるから、つまり、断熱材２７で空気流通路２１を通る空気が冷却されるのを防止できるから、より確実に結露の発生を防止できる。
【００３８】
なお、本発明は前記実施形態に限定されるものではなく、本発明の目的を達成できる範囲での変形、改良等は本発明に含まれるものである。
【００３９】
【発明の効果】
本発明の建物の構造によれば、次のような効果が得られる。
外壁内部に空気流通路を設けたので、断熱性を向上できるから、屋内外の気温差が大きい場合でも、外壁の室内側壁面、つまり内側面材が冷却されるのを防止でき、室内に結露が生じない。このとき、循環装置を作動させることにより、空気流通路、小屋裏空間、連通管、および床下空間を通って空気が循環する。これにより、水蒸気を多く含む空気と、水蒸気をあまり含んでいない空気とが混合して、空気流通路内の空気中の水蒸気量が均一化される。よって、建物下部の外壁内で結露が発生するのを防止できる。
【図面の簡単な説明】
【図１】本発明の一実施形態に係る建物の構造が適用された建物を示す概略断面図である。
【図２】前記実施形態に係る建物の拡大断面図である。
【図３】前記実施形態に係る建物の外壁と１階床との納まりを説明するための図である。
【図４】前記実施形態に係る建物の外壁と２階床との納まりを説明するための図である。
【符号の説明】
１０　　　建物
１１　　　基礎
１２　　　建物本体
１３　　　屋根
１５　　　床下空間
１８　　　連通管
１９　　　循環装置としての送風機
２０，２０Ａ，２０Ｂ，２０Ｃ　　　外壁
２１　　　空気流通路
２３　　　芯材
２４　　　外側面材
２５　　　内側面材
２６　　　縦胴縁
２７　　　断熱材
【図１】
2004019264.tif 000003
【図２】
2004019264.tif 000004
【図３】
2004019264.tif 000005
【図４】
2004019264.tif 000006